(57)【要約】【課題】施術するための頭髪に人工的に付けられるヘアエクステンションを提供する。【解決手段】前記ヘアエクステンションは、仮毛部及び該仮毛部の一端に連結されて施術するための頭髪に縛るための糸を設けて、前記糸の両端の間には前記頭髪を挿入後収縮させて、前記挿入された頭髪に固定するためのリング部が形成されている構成を有する。前記ヘアエクステンションは、その施術と除去に高価の装備が必要ではなくて、被施術者及び施術者の頭皮や肌にトラブルが発生される心配がなくて、被施術者のやけどの危険がないだけではなく、１時間内外で速かにヘアエクステンション施術が可能で、付着された頭髪が離れる心配がない。【選択図】図１
2011052365.tif 000002
【特許請求の範囲】
【請求項１】
仮毛部と、
前記仮毛部の一端に連結されて施術するための頭髪に縛るための糸を設けて、
前記糸の両端の間には前記頭髪を内部に挿入後収縮させて、前記挿入された頭髪に固定されるためのリング部が形成されていることを特徴とするヘアエクステンション(Hair Extension)。
【請求項２】
前記リング部は、前記頭髪の挿入を許容して、前記頭髪を１次で縛ってくれるための第１リング、該第１リングに連結されて前記頭髪の挿入を許容して前記頭髪を２次で縛ってくれるための第２リング及び前記第２リングに連結されて、前記第１リングを取り囲んで、その端部は前記第２リングを通じて外部に抜け出るように配置されて、前記第１リングを前記第２リングに向けて引いてくれるための第１リング引張り部を設けることを特徴とする請求項１に記載のヘアエクステンション。
【請求項３】
前記リング部は、前記頭髪の挿入を許容して前記頭髪を１次で縛ってくれるための第１リング、該第１リングに連結されて前記頭髪の挿入を許容して１次で縛られた前記頭髪の畳まれた一部と共に前記第１リングを内部に挿入した状態で２次で縛ってくれるための第２リング及び前記第２リングに連結されて前記第１リングを取り囲んで、その端部は前記第２リングを通過して外部に出るように配置されて、前記第１リングを前記第２リング内に引いてくれるための第１リング引張り部を設けることを特徴とする請求項１に記載のヘアエクステンション。
【請求項４】
前記リング部は、
前記糸をジグザグに折曲して第１補助リング、第１補助リングと反対方向に配置される第１リング、第１リングと反対方向に配置される第２補助リング、前記第２補助リングと反対方向に配置される第２リングが形成されて、前記糸の端を一側から他側に前記第２補助リングを通過させる過程、前記他側から前記第１リングをおきに前記一側に前記第１補助リングを通過させる過程、前記第１補助リングを形成する外側糸部分を囲みながら第２リングの方に方向を切り替えて前記他側から一側に前記第１補助リングを通過させる過程、前記一側から前記第１リングを飛ばして前記他側に前記第２補助リング通過させる過程、前記他側から前記一側に前記第２リングを通過させる過程を経って第１リング引張り部を作るか、またはその逆過程に前記第１リング引張り部、第２リング、第２補助リング、第１リング及び第１補助リングを作った後、前記第１補助リングと前記第２補助リングは収縮させて前記第１リング引張り部にかかるようにして、前記第１リングと前記第２リングを残しておいたものであることを特徴とする請求項１に記載のヘアエクステンション。
【請求項５】
前記第１リングは、前記頭髪を１次で縛ってくれる第１結び目を形成するためのものであり、前記第２リングは前記第１結び目と前記第１結び目に縛られた頭髪一部を前記第２リング内に挿入して２次で縛ってくれる第２結び目を形成するためのものであることを特徴とする請求項４に記載のヘアエクステンション。
【請求項６】
前記頭髪は、第１リングと前記第２リングに挿入された後前記リング部両側の糸がお互いに反対方向に引かれて前記第１リングが前記頭髪を前記第１リング引張り部内に引き込まれた状態で前記第１リング引張り部と前記第２リングがさらに締められることによって前記頭髪は前記第１リング引張り部と前記第２リングに縛られることを特徴とする請求項４に記載のヘアエクステンション。
【請求項７】
前記頭髪は、前記第１リング引張り部と前記第１リング及び前記第２リングにＳ字形態で結う状態で前記第１リング引張り部と前記第２リングに縛られることを特徴とする請求項６に記載のヘアエクステンション。
【請求項８】
仮毛部と該仮毛部の一端に連結されて施術するための頭髪に縛るための糸を設けて前記糸には収縮可能な第１リング、該第１リングに連結されて収縮可能な第２リング及び前記第２リングに連結されて、前記第１リングを囲んでその端部は前記第２リングを通過して外部に抜け出る第１リング引張り部を有するリング部が形成されているヘアエクステンションを準備する段階と、
前記頭髪を前記第１リングと前記第２リング内に挿入する段階と、
前記第１リングで前記頭髪を１次で縛って第１結び目を形成する第１結び目形成段階と、
前記第１結び目と前記第１結び目に縛られた頭髪を前記第２リングに向けて引きながら前記第２リングで前記頭髪を２次で縛って第２結び目を形成する第２結び目形成段階を設けることを特徴とするヘアエクステンション施術方法。
【請求項９】
前記第２結び目形成段階には、前記第１結び目と共に前記第１結び目に縛られた頭髪の畳まれた一部が前記第２リングを通過した状態で前記第２リングに縛られることを特徴とする請求項８に記載のヘアエクステンション施術方法。
【請求項１０】
仮毛部と該仮毛部の一端に連結されて施術するための頭髪に縛るための糸を設けて前記糸には収縮可能な第１リング、該第１リングに連結されて収縮可能な第２リング及び前記第２リングに連結されて前記第１リングを囲んで、その端部は前記第２リングを通過して外部に抜け出る第１リング引張り部を有するリング部が形成されているヘアエクステンションを準備する段階と、
前記頭髪を前記第１リングと前記第２リング内に挿入する段階と、
前記第１リングを前記第１リング引張り部内に通過させて前記頭髪が前記第１リングにかかって畳まれた状態で前記第１リング引張り部に挿入させる段階と、
前記第１リング引張り部と前記第２リングを締めて前記頭髪が前記第１リングにかかっている状態で前記第１リング引張り部と前記第２リングにそれぞれ縛られるようにする段階を設けることを特徴とするヘアエクステンション施術方法。
【発明の詳細な説明】
【技術分野】
【０００１】
本発明は、ヘアエクステンション及びヘアエクステンション施術方法に関するものである。
【背景技術】
【０００２】
良い髪のきめ、ふっさりとした頭髪(hair)、長い髪を持とうとする女性らの熱望が大きくなった結果ナチュラル・ヘア(自毛、生髪)に仮毛を人工的に付けるヘアエクステンション(hair extension)が盛んでいる。このようなヘアエクステンションの種類と市場は日々に拡張されて多様化されて行っている。
【０００３】
ヘアエクステンション施術方式には、ストランドバイストランド(Strand-by Strand)方式のチューブヘアエクステンション(Tube Hair Extension)、プレボンデッドヘアエクステンション(Pre-bonded Hair Extension)、シリコングルーガンヘアエクステンション(Silicone Glue Gun Hair Extension)方式がある。これらのうちでポリマー、あるいはポリアミドを主成分にするホットメルト系列の接着剤を利用するプレボンデッドヘアエクステンションが普遍的に使われている。
【発明の概要】
【発明が解決しようとする課題】
【０００４】
プレボンデッドヘアエクステンションは、接着剤成分による頭皮損傷、摂氏１５０度以上に焼かれたこて使用による被施術者のやけど危険、接着剤露出による施術者の肌損傷の問題を発生させる可能性が大きくて、施術に必要な高価の焼きごて装備が必要である。プレボンデッドヘアエクステンションの除去時には主にアルコールや工業用ソルベント、あるいはアセトン系列の除去剤を使用するが、これらは被施術者の頭皮と施術者の手にアレルギーなどの肌トラブルを惹起させる可能性があって、焼きごてで接着剤をとかして、これを手で回して行きながら付着する施術方式の非効率性で施術時間が平均４-５時間でたくさんかかる。
【０００５】
その他に焼きごてによる危険を減らすために超音波装備を利用する方式があるが、超音波装備は高価で易しく故障して脳に問題を起こすことがあるし、チューブヘアエクステンション方式は、プラスティックでコーティングされたメタル系列のチューブを工具で圧着する時ヘアが損傷されるか、または切れることがある。シリコングルーガン方式は、シリコン接着剤とシリコンをとかすためのグルーガン(Glue Gun)を使用するために高価の装備は必要ではないが、プレボンデッドヘアエクステンション方式と同等な問題点を有している。
【０００６】
本発明の目的は、上で挙論された現在一番広く利用されているストランドバイストランド方式のホットメルト系列のプレボンデッドヘアエクステンションの短所を補って、高価の装備と接着剤が必要ないし、施術者及び被施術者の肌と頭皮を損傷させないで接着剤による肌トラブルや、やけど発生の問題を起こさないヘアエクステンション及びヘアエクステンション施術方法を提供することにある。
【０００７】
本発明の他の目的は、ヘアエクステンションの施術と除去が容易で施術に時間が少なくかかるヘアエクステンション及びヘアエクステンション施術方法を提供することにある。
【課題を解決するための手段】
【０００８】
本発明によるヘアエクステンションは、仮毛部及び該仮毛部の一端に連結されて施術するための頭髪(hair)に縛るための糸を設けて、前記糸の両端の間には前記頭髪を挿入後に収縮させて前記挿入された頭髪に固定するためのリング部が形成されていることを特徴とする。
【０００９】
前記リング部は、前記頭髪の挿入を許容して前記頭髪を１次で縛ってくれるための第１リング、該第１リングに連結されて前記頭髪の挿入を許容して前記頭髪を２次で縛ってくれるための第２リング及び前記第２リングに連結されて、前記第１リングを取り囲んでその端部は前記第２リングを通じて外部に抜け出るように配置されて、前記第１リングを前記第２リングに向けて引いてくれるための第１リング引張り部を設けることが望ましい。
【００１０】
場合によって、前記リング部は、前記頭髪の挿入を許容して前記頭髪を１次で縛ってくれるための第１リング、該第１リングに連結されて前記頭髪の挿入を許容して１次で縛られた前記頭髪の畳まれた一部と共に前記第１リングを内部に挿入した状態で２次で縛ってくれるための第２リング及び前記第２リングに連結されて前記第１リングを取り囲んで、その端部は前記第２リングを通過して外部に出るように配置されて、前記第１リングを前記第２リング内に引いてくれるための第１リング引張り部を設ける構成を有することができる。
【００１１】
前記リング部は、前記糸をジグザグに折曲して第１補助リング、第１補助リングと反対方向に配置される第１リング、第１リングと反対方向に配置される第２補助リング、該第２補助リングと反対方向に配置される第２リングが形成されて、前記糸の端を一側から他側に前記第２補助リングを通過させる過程、前記他側で前記第１リングをおきに前記一側に前記第１補助リングを通過させる過程、前記第１補助リングを形成する外側糸部分を囲みながら第２リング側に方向を切り替えて前記他側から一側に前記第１補助リングを通過させる過程、前記一側で前記第１リングをおきに前記他側に前記第２補助リング通過させる過程、前記他側から前記一側に前記第２リングを通過させる過程を経って第１リング引張り部を作るか、またはその逆過程で前記第１リング引張り部、第２リング、第２補助リング、第１リング及び第１補助リングを作った後前記第１補助リングと前記第２補助リングは収縮させて、前記第１リング引張り部にかかるようにして前記第１リングと前記第２リングを残しておいたことが良い。
【００１２】
前記第１リングは、前記頭髪を１次で縛ってくれる第１結び目を形成するためのものであり、前記第２リングは前記第１結び目と前記第１結び目に縛られた頭髪一部を前記第２リング内に挿入して２次で縛ってくれる第２結び目を形成するためのものであることがある。
【００１３】
前記頭髪は第１リングと前記第２リングに挿入された後前記リング部両側の糸がお互いに反対方向に引かれて前記第１リングが前記頭髪を前記第１リング引張り部内に引き込まれた状態で前記第１リング引張り部と前記第２リングがさらに締められることによって前記頭髪は前記第１リング引張り部と前記第２リングに縛られることができる。
【００１４】
望ましくは、前記頭髪は前記第１リング引張り部と前記第１リング及び前記第２リングにＳ字形態で結う状態で前記第１リング引張り部と前記第２リングに縛られることができる。
【００１５】
本発明によるヘアエクステンション施術方法は、仮毛部と該仮毛部の一端に連結されて施術するための頭髪に縛るための糸を設けて前記糸には収縮可能な第１リング、該第１リングに連結されて収縮可能な第２リング、及び前記第２リングに連結されて前記第１リングを囲んで端部は前記第２リングを通過して外部に抜け出る第１リング引張り部を有するリング部が形成されているヘアエクステンションを準備する段階、前記頭髪を前記第１リングと前記第２リング内に挿入する段階、前記第１リングで前記頭髪を１次で縛って第１結び目を形成する第１結び目形成段階及び前記第１結び目と前記第１結び目に縛られた頭髪を前記第２リングに向けて引きながら前記第２リングで前記頭髪を２次で縛って第２結び目を形成する第２結び目形成段階を設ける構成を有する。
【００１６】
前記第２結び目形成段階は、前記第１結び目と共に前記第１結び目に縛られた頭髪の畳まれた一部が前記第２リングを通過した状態で前記第２リングに縛られる過程を設けることが望ましい。
【００１７】
場合によって本発明によるヘアエクステンション施術方法は、仮毛部と該仮毛部の一端に連結されて施術するための頭髪に縛るための糸を設けて、前記糸には収縮可能な第１リング、該第１リングに連結されて収縮可能な第２リング、及び前記第２リングに連結されて前記第１リングを囲んで、その端部は前記第２リングを通過して外部に抜け出る第１リング引張り部を有するリング部が形成されているヘアエクステンションを準備する段階、前記頭髪を前記第１リングと前記第２リング内に挿入する段階、前記第１リングを前記第１リング引張り部内に通過させて前記頭髪が前記第１リングにかかって畳まれた状態で前記第１リング引張り部に挿入する段階及び前記第１リング引張り部と前記第２リングを締めて前記頭髪が前記第１リングにかかっている状態で前記第１リング引張り部と前記第２リングにそれぞれ縛られるようにする段階を設ける構成を有することができる。
【発明の効果】
【００１８】
本発明によるとヘアエクステンションの施術と除去に高価の装備が必要ではなくて、接着剤や接着剤除去剤が必要ではなくて、被施術者及び施術者の頭皮や肌にトラブルが発生される心配がなくて、高温の焼きごてによる被施術者のやけどの危険がないだけでなく、１時間内外で速かにヘアエクステンション施術が可能で、施術されたヘアエクステンションの除去も容易いであるという効果を得ることができる。
【００１９】
本発明に利用されるリング部は、結び目をつけられる時二つの段階にわたって被施術者の頭髪と共に結われるために施術後付着した頭髪が落ちる心配がない。
【図面の簡単な説明】
【００２０】
【図１】本発明によるヘアエクステンションを示した斜視図である。
【図２】図１のリング部の拡大斜視図である。
【図３】図１のリング部を形成する結び目方を説明するための図面である。
【図４】図３の変形された結び目方を説明するための図面である。
【図５】第２リングに挿入される頭髪の挿入方向を図３と異なるように適用した状態を示した図面である。
【図６】本発明によるヘアエクステンションを被施術者の頭髪に施術する過程を順に示した図面である。
【図７】同じく、本発明によるヘアエクステンションを被施術者の頭髪に施術する過程を順に示した図面である。
【図８】同じく、本発明によるヘアエクステンションを被施術者の頭髪に施術する過程を順に示した図面である。
【図９】同じく、本発明によるヘアエクステンションを被施術者の頭髪に施術する過程を順に示した図面である。
【図１０】同じく、本発明によるヘアエクステンションを被施術者の頭髪に施術する過程を順に示した図面である。
【図１１】本発明によるヘアエクステンションを被施術者の頭髪に施術する過程を説明するためのブロック図である。
【図１２】第１リングと頭髪が第１リング引張り部を抜け出て頭髪が第１リング、第１リング引張り部及び第２リングにＳ形態で結いながら縛られた状態を示した図面である。
【発明を実施するための形態】
【００２１】
以下、添付された図面を参照して本発明によるヘアエクステンション及びヘアエクステンション施術方法を詳細に説明する。
【００２２】
図１は、本発明によるヘアエクステンションを示した斜視図、図２は図１のリング部の拡大斜視図である。
【００２３】
図１に示すように本発明によるヘアエクステンション１００は、仮毛部１１０を具備する。仮毛部１１０は人の髪の毛または人造髪の毛の多くの本でなされている。仮毛部１１０の一端には糸１３０が連結されている。糸１３０と仮毛部１１０は望ましくは、接着剤１５０を通じてお互いに連結される。糸１３０は施術するための頭髪に縛るためのものであり、ポリエステルあるいはコットン(Cotton)系列の糸が望ましい。
【００２４】
図２に示すように糸１３０の両端の間にはリング部１３０aが形成されている。このリング部１３０aは施術しようとする頭髪(hair)を内部に挿入させた後収縮させて前記挿入された頭髪に固定できるようにするためのものであり、被施術者の頭髪を１次で縛ってくれるための第１リング１３２と２次で縛るための第２リング１３４、及び第１リング１３２を第２リング１３４の方に引いてくれるための第１リング引張り部１３６を具備する。このようなリング部１３０aを形成するための結び目方を、図３を参照して詳しく説明する。
【００２５】
図３は、図１のリング部を形成する結び目方を説明するための図面である。
【００２６】
図３に示すように糸１３０に設置されるリング部１３０aは第１リング１３２、この第１リング１３２に連結された第２リング１３４及び第２リング１３４に連結されて第１リング１３２を取り囲んで、その端部は第２リングを通過して外部に抜け出る第１リング引張り部１３６を具備する。第１リング１３２と第２リング１３４はお互いに連結されていて両端を固定した状態で第１リング１３２を拡張すると第２リング１３４が減って、第２リング１３４を拡張すると第１リング１３２が減る。第１リング引張り部１３６は場合によって頭髪１０を縛ってくれる第３リングの役割もする。
【００２７】
このようなリング部１３０aは、糸１３０をジグザグに折曲して第１補助リング１３８、第１補助リング１３８と反対方向に配置される第１リング１３２、第１リング１３２と反対方向に配置される第２補助リング１３９、第２補助リング１３９と反対方向に配置される第２リング１３４を作った後、糸１３０の端を一側から他側に第２補助リング１３９を通過させる過程、他側から第１リング１３２をおきに一側に第１補助リング１３８を通過させる過程、第１補助リング１３８を形成する外側糸部分１３８aを囲みながら第２リング１３４側に方向を切り替えて他側から一側に第１補助リング１３８を通過させる過程、一側から第１リング１３２をおきに他側に第２補助リング１３９を通過させる過程、他側から一側に第２リング１３４を通過させる過程を経って第１リング引張り部１３６を作った後第１補助リング１３８と第２補助リング１３９は収縮させて第１リング引張り部１３６にかかるようにして第１リング１３２と第２リング１３４を残しておいたものである。
【００２８】
勿論、リング部１３０aは第１リング引張り部１３６から第２リング１３４、第２補助リング１３９、第１リング１３２及び第１補助リング１３８の順序で前の過程とは逆過程で作われた後第１補助リング１３８と第２補助リング１３９が収縮されて作われることができる。
【００２９】
本発明によるヘアエクステンション１００を被施術者の頭髪１０に施術する時、頭髪１０は図３に示したところのように第１リング引張り部１３６を構成する糸１３０の端が第２リング１３４を抜け出る方向の反対方向で第２リング１３４内に挿入された後第１リング１３２に挿入されることが望ましい。
【００３０】
第１リング引張り部１３６の端が第２リング１３４を通過して右側外部に抜け出ることによって両側糸を左右に引っ張ると、第１リング引張り部１３６は第１リング１３２を第２リング１３４側に引っ張るようになる。
【００３１】
ここで、望ましくは、第１リング１３２は被施術者の頭髪１０を１次で縛ってくれる第１結び目を形成する役割をするものであり、第２リング１３４は第１結び目と第１結び目に縛られて畳まれた頭髪１０の一部をその内に挿入させて２次で縛ってくれる第２結び目を形成する役割をするものであり、第１リング引張り部１３６は頭髪１０が挿入された第１リング１３２と第１リング１３２に縛られた頭髪１０を第２リング１３４側に引きながら第２リング１３６を締めて頭髪１０を２次で縛ってくれる役割をするものである。
【００３２】
場合によって、第１リング１３２と第１リング１３２に縛られた頭髪１０は第１リング引張り部１３６によって第２リング１３４側に引かれて行きながら第２リング１３４内に入らないで第１リング１３２が頭髪１０を第１リング引張り部１３２内に引き込まれて頭髪１０が畳まれた状態で第１リング引張り部１３６に縛られて、その過程で第２リング１３４が収縮されながら対応部位の頭髪１０が縛られることができる。
【００３３】
この過程で頭髪１０は、第１リング１３２、第１リング引張り部１３６及び第２リング１３４にＳ字形態で結いながら縛られる。すなわち、第１リング１３２による第１結び目が第２リング１３４内に挿入されなくても頭髪１０は第１リング１３２、第１リング引張り部１３６及び第２リング１３４にＳ字形態で結いながら少なくとも第１リング引張り部１３６と第２リング１３４に縛られるためにリング部１３０aで解ける心配がない。
【００３４】
第１リング１３２と第１リング１３２に縛られた頭髪１０が第２リング１３４内に挿入されるか、またはそれとも挿入されないで第１リング１３２、第１リング引張り部１３６及び第２リング１３４にＳ字形態で結いながら縛られるかの可否は糸１３０の種類や太さ、第１リング１３２内に挿入された頭髪１０の本数、糸１３０を繰り上げる速度、図３または図１０に示したところのような頭髪１０の挿入方向などのさまざまな要因によって決定される。
【００３５】
図４は、図３で説明した結び目方の変形された例を示した図面である。
【００３６】
場合によって、第１リング引張り部１３６を作る時、第２リング１３４に対する最初の糸１３０の通過方向を図３の反対にすることができる。このようにする場合、第２リング１３４に対する最後の糸１３０の通過方向も図３とは反対になる。第１リング１３２は、一度程度捩れて閉曲線形態をなすことができる。これは以前及び以後の実施例にも適用される。残りは図３と同じである。
【００３７】
図５は、図３で第２リングに挿入される頭髪の挿入方向を異にしたことを示したものである。
【００３８】
場合によっては図３とは異なり第１リング引張り部１３６の糸１３０が右側外部に抜け出る方に頭髪１０を挿入して施術をすることができる。残りは図３で説明したところのようである。
【００３９】
図６ないし図１０は、本発明によるヘアエクステンションを被施術者の頭髪に施術する過程を順に示した図面であり、図１１はその過程を説明するためのブロック図である。
【００４０】
図２ないし図１１を参照して本発明によるヘアエクステンション施術過程を説明すると次のようである。
【００４１】
先ず、本発明によるヘアエクステンション１００いくつかを掛け具にかけておく(Ｓ１)。
【００４２】
その後、図６に示したところのように被施術者の頭髪１０を第１リング１３２と第２リング１３４内に挿入する。この時、被施術者の頭髪１０端を第１リング１３２と第２リング１３４内に通過させるためには編み物針のような道具が利用されることができる(Ｓ２)。
【００４３】
ヘアエクステンション１００を施術しようとする位置を決めた後にリング部１３０a両側の糸１３０を左右に引く。これによって図７に示したところのように第１リング１３２が１次で締められて第１リング１３２による第１結び目が形成されながら図８に示したところのように被施術者の頭髪１０下部は第１リング１３２が締められながら引く力によって上に持ち上げられる (Ｓ３)。
【００４４】
図９に示したところのようにリング部１３０a両側の糸１３０を左右にさらに引っ張ると、第１リング引張り部１３６は第１リング１３２による第１結び目と共に第１リング１３２に縛られた頭髪１０の一部を折った状態で第２リング１３４に向けて引く(Ｓ４)。
【００４５】
これによって第１リング１３２に縛られた頭髪１０の一部は、畳まれた状態で第１リング１３２と共に第２リング１３４内に挿入されて、第２リング１３４が２次で締められて第２リング１３４による第２結び目が形成される。
【００４６】
場合によって第１リング１３２と第１リング１３２に縛られた頭髪１０の一部が、第１リング引張り部１３６の間に挿入されながら第２リング１３４に向けて引かれるが第２リング１３４内に進入されない状態で第１リング引張り部１３６と第２リング１３４が締められて頭髪１０がリング部１３０aにＳ字形態で結う状態で縛られることができる。この状態は図１２に示されているので、後でさらに詳しく説明する。このようになっても頭髪１０は第１リング１３２、第２リング１３４及び第１リング引張り部１３６にＳ字形態で結いながら第１リング引張り部１３６と第２リング１３４に縛られるために頭髪１０はリング部１３０aに堅く縛られて解けない(Ｓ５)。
【００４７】
第２リング１３４による第２結び目が形成された後には糸１３０の残余部分を切り捨てると、図１０に示したところのように１個のヘアエクステンション１００に対する施術が完了する(Ｓ６)。
【００４８】
上のような過程を繰り返してヘアエクステンション１００を被施術者の頭髪１０に施術する。このようにする場合従来のプレボンデッドヘアエクステンション(Pre-bonded Hair Extension)で４-５時間かかったことを１時間程度に縮めることができるし、二度にかけた結び目が形成されて糸１３０と頭髪１０も共に結いために糸１３０の残余部分を切り捨てても結び目が解れない。その後には、既存方式と同様に美容室でカッティングなどのスタイリング作業に入って行くようになる。施術された頭髪１０からヘアエクステンション１００を除去することは結び目部分の糸をはさみでこっそり切り捨てれば良いので作業が容易である。
【００４９】
図１２は、第１リングと頭髪が第１リング引張り部を抜け出て頭髪が第１リング、第１リング引張り部及び第２リングにＳ字形態で結いながら縛られた状態を示した図面である。
【００５０】
前で言及したところのように、場合によっては頭髪１０を１次で縛った第１リング１３２が第２リング１３４を通過しないで、第１リング１３２が縛っている頭髪１０と共に第１リング引張り部１３６を通過することで頭髪１０が畳まれた状態で第１リング引張り部１３６に縛られることができる。この過程で第１リング１３２は、頭髪１０をかけている状態で左右方向に一字で開かれて頭髪１０は第１リング１３２にかかって折り畳んだ状態でその一部が、第１リング引張り部１３６に縛られる。この時、第２リング１３４も共に締められるようになって、頭髪１０は第１リング１３２、第１リング引張り部１３６及び第２リング１３４におおよそＳ字形態で結いながら第１リング引張り部１３６と第２リング１３４にそれぞれ縛られる。
【００５１】
本発明による残りのヘアエクステンションの施術過程は、図６ないし図１１を通じて説明したところのようである。
【産業上の利用可能性】
【００５２】
本発明は、ヘアエクステンションの製造及びヘアエクステンションの施術に利用されることができる。
【符号の説明】
【００５３】
１００  ヘアエクステンション
１１０  仮毛部
１３０  糸
１３０a   リング部
１３２  第１リング
１３４  第２リング
１３６  第１リング引張り部
１５０  接着剤
【図１】
2011052365.tif 000003
【図２】
2011052365.tif 000004
【図３】
2011052365.tif 000005
【図４】
2011052365.tif 000006
【図５】
2011052365.tif 000007
【図６】
2011052365.tif 000008
【図７】
2011052365.tif 000009
【図８】
2011052365.tif 000010
【図９】
2011052365.tif 000011
【図１０】
2011052365.tif 000012
【図１１】
2011052365.tif 000013
【図１２】
2011052365.tif 000014